(57)【要約】【課題】ハウジング１に片持ち状態で支持させた固定軸６６の下端側に固定刃３を設けるとともに、その上部に近接させて回転刃２を配設した芝刈り機Ａにおいて、その大型化を招くことなく、固定軸６６の支持剛性を確保する。【解決手段】固定軸６６の上部をブラケット部材６５を介してハウジング本体１０に固定する。そこから下方に延びる固定軸６６に上方から順に、従動ギヤ部材６３、保護部材４、回転刃２及び固定刃３を配設する。従動ギヤ部材６３の筒状軸部６３ｂの外周をハウジング本体１０に配設した滑り軸受６７によって摺動自在に支持し、これにより間接的に固定軸６６を支持する。【選択図】    図２
2007295864.tif 000002
【特許請求の範囲】
【請求項１】
本体に片持ち状態で支持させた固定軸の下端側に固定刃を設けるとともに、その上部に近接させて回転刃を設けた芝刈り機であって、
前記固定軸周りに回転自在に配設した筒状部材の上部に、駆動源側からの回転力を入力する従動ギヤを設けるとともに、該筒状部材を前記回転刃と一体回転するように連結し、さらに、当該筒状部材の外周を、前記本体に設けた軸受部によって回転自在に支持してなることを特徴とする芝刈り機。
【請求項２】
少なくとも従動ギヤの設けられている部位を除いて、筒状部材の内周面が固定軸の外周面から離間していることを特徴とする請求項１に記載の芝刈り機。
【請求項３】
回転刃の上部を近接して覆い且つこれと一体に回転するように保護部材が設けられ、
筒状部材の下部が前記保護部材を介して回転刃に連結されていることを特徴とする請求項１又は２のいずれかに記載の芝刈り機。
【請求項４】
回転刃の上部に近接してこれと一体に回転するように設けられ、その回転に伴い芝草の刈り屑を搬送する搬送部材を備え、
筒状部材の下部が前記搬送部材を介して回転刃に連結されていることを特徴とする請求項１又は２のいずれかに記載の芝刈り機。
【発明の詳細な説明】
【技術分野】
【０００１】
本発明は、上下２枚の切断刃によって芝草を鋏み切るようにした芝刈り機に関し、特に上側の切断刃を回転させる回転式のものに係る。
【背景技術】
【０００２】
従来より、片手でも使用できる手持ち式の芝刈り機として、切断刃を２枚、上下に重ね合わせて設け、両者の切刃により芝草を鋏み切るようにしたものが公知である。それらは、櫛状に設けられた切刃を有する切断刃が相互に揺動する揺動式のものと、外周側に切刃を有する円盤状の切断刃が回転する回転式のものと、に大別される。
【０００３】
例えば、特許文献１に記載の回転式芝刈り機では、重ね合わせた２枚の切断刃のうち、上側の切断刃を回転させる一方、下側の切断刃は芝刈り機の本体に固定している。すなわち、上側の回転刃は、芝刈り機の本体から下方に延びる回転軸の下端に一体回転するように取り付けられており、一方、下側の固定刃は、前記回転刃の上方を覆うフードの下端面に４本のボルトによって取り付けられている。
【０００４】
そうして固定刃を４本のボルトで芝刈り機本体のフードに取り付けるのは如何にも手間がかかり、また、取付用のボルトの本数が多いことから、コスト高になるきらいがある。そこで、例えば特許文献２には、芝刈り機の本体フレームから下方に延びるように固定軸を設け、該固定軸の下端側に固定刃を固設するとともに、その上部に近接させて当該固定軸に対し回転自在に回転刃を配設することが提案されている。
【特許文献１】実開昭４９−１３８０５６号公報
【特許文献２】特開平８−７０６６８号公報
【発明の開示】
【発明が解決しようとする課題】
【０００５】
ところが、前記提案のように固定軸に固定刃及び回転刃の双方を取り付けるためには、その軸長をかなり長くしなくてはならず、固定軸が片持ち状態であると十分な支持剛性を得るのが難しい。これは、固定軸が回転刃を貫通してさらに下方に延びるだけでなく、回転刃に回転力を伝えるためのギヤ部材を固定軸上に配置する必要があり、その分も軸長が長くなってしまうからである。
【０００６】
この点につき、芝刈り機の本体内に固定する固定軸の上部を長くして、その固定部位を軸方向にできるだけ離すようにすれば、支持剛性を高めることはできるが、そうすると、固定軸の上部が芝刈り機の本体内に深く侵入して、電動モータやギヤ等の駆動系と干渉する虞れがあり、これを避けようとすれば、芝刈り機の大型化を招くことになる。
【０００７】
斯かる点に鑑みて、本発明の目的は、上述の如き回転式の芝刈り機において片持ち状態となる固定軸の支持構造に工夫を凝らし、芝刈り機の大型化を招くことなく、その本体にしっかりと固定軸を支持させることにある。
【課題を解決するための手段】
【０００８】
前記の目的を達成するために、本願発明では、回転刃に回転力を伝えるためのギヤ部材に着目し、固定軸周りに回転自在に配置されたギヤ部材の筒状の軸部を外周から軸受部により支持して、これにより間接的に固定軸を支持するようにした。
【０００９】
具体的に請求項１の発明は、本体に片持ち状態で支持させた固定軸の下端側に固定刃を設けるとともに、その上部に近接させて回転刃を設けた芝刈り機を対象として、前記固定軸の周りに回転自在に配設した筒状部材の上部には駆動源側からの回転力を入力する従動ギヤを設けるとともに、該筒状部材を前記回転刃と一体回転するように連結し、さらに、当該筒状部材の外周を前記本体に設けた軸受部によって回転自在に支持する構成とする。
【００１０】
前記の構成では、芝刈り機の本体から下方に延びる固定軸上に筒状部材が配設されており、その上部に設けられた従動ギヤに駆動源側からの回転力を入力して、下部に連結された回転刃を回転させるようになっている。そして、その筒状部材の外周が、芝刈り機本体に設けられた軸受部によって回転自在に支持されており、これを介して固定軸の上下の中間部位が間接的に支持されることで、その支持剛性を十分に確保することができる。
【００１１】
そうして固定軸の上下の中間部位を筒状部材を介して支持できることから、芝刈り機の本体に直接、固定する固定軸の上部を長くする必要はなくなり、電動モータ等との干渉や芝刈り機の大型化を招く虞れもない。
【００１２】
好ましいのは、前記筒状部材の内周面を、少なくとも従動ギヤの設けられている部位を除いて、固定軸の外周面から離間させることである（請求項２の発明）。こうして筒状部材と固定軸との間に隙間を形成すると、その分、筒状部材が太くなり、その外周の軸受支持部が固定軸から離れることになるから、固定軸のこじりに対する支持剛性を高める上で有利になる。
【００１３】
また、筒状部材外周の軸受面積は大きくなるが、軸受部との摩擦抵抗は小さいので、駆動ロスはあまり大きくはならず、むしろ筒状部材内周と固定軸外周との間の摺動摩擦抵抗が小さくなることで、全体として駆動ロスを低減できる。
【００１４】
前記のような固定軸の支持構造は、回転刃の上部に保護部材や刈り屑の搬送部材が設けられている場合に、特に有効である。すなわち、請求項３の発明では、回転刃の上部を近接して覆い且つこれと一体に回転するように保護部材を設けることで、回転刃に周囲の物が接触することを防止して、安全性を高めることができる。
【００１５】
また、請求項４の発明では、回転刃の上部に近接してこれと一体に回転し、芝草の刈り屑を搬送する搬送部材を設けることで、芝草の刈り屑が周囲に飛び散らないようにすることが可能になる。
【００１６】
そして、いずれの場合も、筒状部材の下部は、保護部材や搬送部材を介して回転刃に連結されており、それら保護部材や搬送部材の分だけ固定軸が長くなってしまうから、前記したように筒状部材を介して固定軸の中間部位を間接的に支持するという構造が、極めて有効なものになるのである。
【発明の効果】
【００１７】
以上のように、本発明に係る芝刈り機によると、本体に片持ち状態で支持した固定軸の下端側に固定刃を設けるとともに、その上部に近接させて回転刃を設ける場合に、回転刃を回転させるためのギヤ部材に着目して、固定軸周りに回転自在に配置されたギヤ部材の筒状の軸部（筒状部材）を外周から軸受部により支持するようにしたから、固定軸の上下の中間部位を前記軸受部によって間接的に支持することができ、これにより固定軸の支持剛性を十分に確保することができる。
【００１８】
よって、固定軸の上部を長くして芝刈り機の本体内に大きく侵入させる必要はなく、このことによって電動モータ等、駆動系との干渉を生じることもないので、これを回避するために芝刈り機が大型化する虞れもない。つまり、芝刈り機の大型化を招くことなく、その本体にしっかりと固定軸を支持させることができる。
【発明を実施するための最良の形態】
【００１９】
以下、本発明の実施形態を図面に基いて説明する。尚、以下の好ましい実施形態の説明は、本質的に例示に過ぎず、本発明、その適用物或いはその用途を制限することを意図するものではない。
【００２０】
図１乃至図５には、本発明を適用した手持ち式の芝刈り機Ａの実施形態を示す。この芝刈機Ａは、本体であるハウジング１の前側（図１〜３の右側）下部に、概略円盤状の回転刃２及び固定刃３が上下に重ね合わされて設けられており、上側に位置する回転刃２を回転させ、その外周の切刃２ａ，２ａ，…（図５参照）と下側の固定刃３の切刃３ａ，３ａ，…とにより芝草を鋏み切って、刈り取るようにしたものである。また、前記回転刃２の上部には、近接してこれを覆うように樹脂製の保護部材４が設けられている。
【００２１】
前記ハウジング１は例えば左右二つ割りの樹脂製部品を組み合わせてなり、そのうちの右側の部品を取り外した状態を図２に示すように、ハウジング１の前側部分は、回転刃２の駆動系６（後述する）を収容するハウジング本体１０とされている。そして、このハウジング本体１０の上部から後側に向かって、後端側が下方に湾曲するように延びる概略Ｊ字状のハンドル１１と、その下端から前側の斜め下方に向かって延びて、後述のベース部材７を保持するベース保持部１２とが設けられている。ベース保持部１２の前側上部は、ハウジング本体１０の下部に連繋されている。
【００２２】
前記ハウジング本体１０は全体として上窄まりの円筒状とされていて、その下側部分は、ベース保持部１２に繋がる後側の部位を除いて、周囲を半透明の樹脂製カバー部材５（図１では斜線を入れて示す）により覆われている。このカバー部材５は、図４や図５にも示すように、ハウジング本体１０の下側部分から下方の保護部材４の上部までを覆う概略傘状のカバー部５０と、その後端から左右に相対向しつつ後方に延びる一対の腕部５１，５１とを備え、さらにその左側の腕部５１に沿うように後方に延びる延出部５２が形成されていて、その後端が後方に向かい開口している（開口５２ａ）。
【００２３】
また、前記左右一対の腕部５１，５１には、それぞれの後部で左右外方に突出するようにボス部５３が設けられていて、図示省略のねじ等によりハウジング本体１０に対し回動可能に連結されている。これによりカバー部材５は、ボス部５３において左右方向の軸の周りに回動可能とされ、図１等に示すようにカバー部５０の下縁が回転刃２と略平行になる下側位置と、そこから上方に回動された上側位置とのいずれかに位置づけられるようになっている。
【００２４】
尚、前記カバー部５０の前側の上部には、これをハウジング本体１０に係止するための係止爪部５４が設けられている。すなわち、ハウジング本体１０の前部には、上下に離間してそれぞれ前記係止爪部５４を係止可能な２つのスリット１０ａ，１０ｂが形成されており、このいずれかのスリット１０ａ，１０ｂにより前記カバー部５０の係止爪部５４が係止されることで、カバー部材５が前記上側位置及び下側位置にそれぞれ保持されるようになっている。
【００２５】
前記ハウジング１のハンドル１１の内部には、図２にのみ示すが、電動モータ６０のＯＮ・ＯＦＦスイッチ１３が配設されるとともに、このハンドル１１を把持した手の指で操作しやすいよう、ハンドル１１の前側下部にはトリガー１４が配設されており、このトリガー１４が操作されて、ＯＮ・ＯＦＦスイッチ１３がＯＮ・ＯＦＦ切換えられることで、電動モータ６０が起動し又は停止するようになっている。
【００２６】
また、前記ベース保持部１２には、その長手方向に伸びる長穴１２ａが左右に貫通して形成されており、ここにはベース部材７を締結するためのボルト８が挿通されるようになっている。この長穴１２ａの上辺は、ボルト８の軸部に対応する大きさの凹部が複数（図の例では５つ）並んだ波形に形成されており、そのいずれかに対応するように位置づけたボルト８によって、ベース部材７をベース保持部１２に締結することができる。尚、この例では図３のみに実線で示すが、ボルト８の端部に樹脂製の把持部８ａが取り付けられており、使用者は指でボルト８を緩めたり、締め付けたりすることができる。
【００２７】
そうしてボルト８によりベース部材７を締結する位置を長穴１２ａに沿ってベース保持部１２の前側に移動させれば、ベース部材７がハウジング１に対し低くなる（ベース部材７によって支持されるハウジング１の位置が高くなる）一方、反対に後側に移動させれば、ベース部材７はハウジング１に対して高くなる。つまり、ベース部材７は、ハウジング１に対して高さ調節可能に取り付けられるようになっている。
【００２８】
前記図２に示すように、回転刃２の駆動系６は、ハウジング本体１０に収容されていて、電動モータ６０と減速ギヤ列とを備えている。電動モータ６０は、その出力軸を下方に向けてハウジング本体１０の上部に収容され、その出力軸には駆動ギヤとしてのピニオン６１が固設されている。このピニオン６１は、並列に配置された中間ギヤ部材６２の上部に設けられている大径ギヤ６２ａと噛合し、一方、該中間ギヤ部材６２の下部に設けられた小径ギヤ６２ｂは、並列に配置された従動ギヤ部材６３（筒状部材）の上部に設けられている大径ギヤ６３ａと噛合している。
【００２９】
前記中間ギヤ部材６２は、上部の大径ギヤ６２ａと下部の小径ギヤ６２ｂとが同軸に且つ互いに近接して設けられた筒状の部材であり、その中空部を貫通する中間軸６４に回転自在に支持されている。この中間軸６４の上部は、電動モータ６０をハウジング本体１０に固定するためのブラケット部材６５に設けられたボス部６５ａに嵌入されて、ピン７３により回動不能に固定されており、一方、中間軸６４の下端部は、ハウジング本体１０の底部に設けられた凹部に嵌入されている。
【００３０】
同様に、前記従動ギヤ部材６３は、上部に大径ギヤ６３ａが設けられた筒状部を軸部６３ｂ（筒状軸部）とし、その中空部を貫通する固定軸６６にピン７４により回転自在に支持されている。この固定軸６６の上部は、前記中間軸６４の上部が固定されているのと同じブラケット部材６５に設けられた別のボス部６５ｂに嵌入されて、回動不能に固定されている。そして、そこから下方に延びる固定軸６６が、ハウジング本体１０の底部に形成された開口１０ｃの略中央を通過して、さらに下方に延びている。
【００３１】
また、固定軸６６の上下の中間部位は前記従動ギヤ部材６３の筒状軸部６３ｂを介して、ハウジング本体１０に設けられた滑り軸受６７（軸受部）により支持されている。すなわち、ハウジング本体１０の底部には、開口１０ｃの周縁から上下にそれぞれ延びるように円筒状壁部が形成され、この円筒状壁部に例えば燒結金属やポリアセタール等の樹脂材によって形成された円筒状の部材が嵌入されて、従動ギヤ部材６３の筒状軸部６３ｂの外周を摺動自在に支持する滑り軸受６７を構成している。
【００３２】
つまり、固定軸６６は、その上部がブラケット部材６５を介してハウジング本体１０に片持ち状態で支持されているとともに、上下の中間部位は、従動ギヤ部材６３の筒状軸部６３ｂとこれを支持する滑り軸受６７とを介して、間接的にハウジング本体１０に支持されており、このことで、その支持剛性は十分に確保されている。
【００３３】
尚、図の例では、大径ギヤ６３ａの設けられている部位を除いて、従動ギヤ部材６３の筒状軸部６３ｂの内周面が固定軸６６の外周面から離間しており、両者間の摺動摩擦抵抗の低下によって、駆動ロスの低減が図れれている。また、そうして筒状軸部６３ｂと固定軸６６との間に隙間がある分、筒状軸部６３ｂが太くなっており、このことも固定軸６６の支持剛性を高める上で有利になる。
【００３４】
さらに、固定軸６６の下端側には固定刃３が配設されて、ボルト６８により締結されており、その上部には該固定刃３と刃先を摺接するように近接して、回転刃２が回転自在に配設されている。この回転刃２は、その上部を覆うように配置された保護部材４のボス部４１を介して、前記従動ギヤ部材６３の筒状軸部６３ｂの下端に連結されており、これにより回転されるようになっている。尚、図示の符号６９は、保護部材４及び回転刃２の上下動を許容しつつ、それを下方に付勢するためのコイルばねである。
【００３５】
より詳しくは図５の分解斜視図に示すように、回転刃２の外周には、それぞれ回転方向前側に刃先が形成された複数の（図の例では３つの）切刃２ａ，２ａ，…が形成され、一方、固定刃３の外周には櫛状に多数の切刃３ａ，３ａ，…が形成されている。そして、回転刃２が図３、４において反時計回りに回転されることで、その３つの切刃２ａ，２ａ，…がそれぞれ固定刃３の多数の切刃３ａ，３ａ，…と順次、交差して、芝草を次々と鋏み切るようになっている。
【００３６】
また、保護部材４は、円筒部４０の内周側に略同軸にボス部４１が設けられていて、このボス部４１の上側内周に形成された複数の（図の例では３つの）溝４１ａ，４１ａ，…が、従動ギヤ部材６３の筒状軸部６３ｂの下端外周に設けられた複数の突条（図示せず）と噛み合う一方、ボス部４１の下側外周に形成された複数の突条（図示せず）が、回転刃２の中心孔内周に形成された複数の（図の例では６つの）凹部２ｂ，２ｂ，…と噛み合って、前記従動ギヤ部材６３の回転を回転刃２に伝えるようになっている。
【００３７】
さらに、保護部材４は、円筒部４０の外周に３つの羽根部４２，４２，…が設けられて、全体として扁平なスクリュウのような形状とされている。この保護部材４は、回転刃２の上部を覆って、周囲の物との接触を防止する機能を有するとともに、この実施形態では、以下に述べるように回転刃２と一体に回転して、スクリュウコンベアのように芝草の刈り屑を上方に搬送する搬送部材としての機能も有している。
【００３８】
この点について説明すると、まず、保護部材４の円筒部４０の上端は、図２、４に破線で示すように、ハウジング本体１０の下端前部に対し下方のやや外周側に近接しており、一方、その外周の３つの羽根部４２，４２，…は、それぞれ、外周縁がカバー部材５のカバー部５０の外周壁に内周側から近接している。この羽根部４２は、その回転方向前側の範囲（図の例では周方向長さの２／３くらいの範囲）が前側ほど下方に位置する傾斜部４２ａとされ、残りの範囲は水平部４２ｂとされていて、この水平部４２ｂの下面が、図１の如く下側位置にあるカバー部材５の外周壁下縁と略同じ高さに位置している。つまり、カバー部材５のカバー部５０内には、保護部材４の円筒部４０よりも外周側で、その羽根部４２，４２，…の上方に概略環状の空間部Ｓが形成されている。
【００３９】
また、前記各羽根部４２の傾斜部４２ａの下端縁（羽根部の回転方向前側縁）は、それぞれ回転刃２の各切刃２ａの刃先の回転方向後側に近接しており、このことで、羽根部４２が切刃２ａによる芝草の刈り取りを邪魔しないばかりか、その切刃２ａによって刈り取られた芝草の刈り屑は、羽根部４２の傾斜部４２ａによって直ちにすくい上げられるようになる。
【００４０】
さらに、各羽根部４２の傾斜部４２ａの外周縁には、その回転方向の範囲に亘って上方に立ち上がる円周壁部４２ｃ（少なくとも回転方向前端部に形成された上方突出部）が形成されていて、その上端が水平部４２ｂと略同じ高さまで延びている。この円周壁部４２ｃの前端は、切刃２ａの刃先と略同じ位置にあり、芝草を引っかけて回転刃２の切刃２ａに導くようになっている。
【００４１】
すなわち、保護部材４は、その円筒部４０の外周に、羽根部４２の傾斜部４２ａと円周壁部４２ｃとによって囲まれて、下端が回転刃２の切刃２ａの刃先に近接する一方、上端が上方の空間部Ｓに連通する螺旋状の搬送路を有するものであり、これにより、芝草の刈り屑を上方の空間部Ｓへと搬送するようになっている。この空間部Ｓを以下、集草空間Ｓともいう。
【００４２】
加えて、前記保護部材４には、各羽根部４２の水平部４２ｂの回転方向後端から立ち上がり、半径方向に亘って延びる立壁部４２ｄが形成されている。この立壁部４２ｄの上端は円筒部４０の上端と同じ高さにまで達しており、保護部材４の回転に伴い集草空間Ｓ内を移動して、芝草の刈り屑を回転方向の前側へ搬送する搬送腕部として機能する。
【００４３】
すなわち、保護部材４の羽根部４２，４２，…によってすくい上げられ、上方の集草空間Ｓに搬送されてきた刈り屑は、今度は、その集草空間Ｓにおいて立壁部４２ｄにより回転方向に搬送されることになり、その後、ハウジング１の左側にてカバー部材５の後方の延出部５２に押し出され、その後端の開口５２ａから後方に向かって排出されるようになる。こうして排出された刈り屑はベース部材７上の屑受け部Ｒに堆積する。
【００４４】
尚、ベース部材７は、樹脂の射出成形、金属板のプレス成形等により形成され、底板部７０とその後縁から左側縁にかけて上方に立ち上る背板部７１とを備えている。底板部７０には左右の中間部において後側ほど高くなるように傾斜して立ち上がる膨出部７２が一体に設けられ、この膨出部７２の上面がハウジング１のベース保持部１２の下面に当接することで、ベース部材７の底板部７０の下面（ベース面）が回転刃２と略平行になる。
【００４５】
また、ベース部材７の底板部７０には、膨出部７２の左右両側からそれぞれ立ち上がって、上部が膨出部７２の上面よりも高くなるように延びる三角形状の腕部７３，７３が形成されており、この左右一対の腕部７３，７３がハウジング１のベース保持部１２を左右両側から挟み込んだ状態で、ボルト８により締結される。
【００４６】
次に、この実施形態の手持ち式芝刈り機Ａの作動について説明する。
【００４７】
まず、使用者は、芝刈り機Ａのハンドル１１を把持してそれを芝生の上に置き、ハンドル１１のトリガー１４を引いて、電動モータ６０を起動させる、すると、その出力軸上のピニオン６１から中間ギヤ部材６２を介して従動ギヤ部材６３に回転力が伝達され、この従動ギヤ部材６３の筒状軸部６３ｂの下端に連結された保護部材４及び回転刃２が一体に回転される。こうして回転される回転刃２の３つの切刃２ａ，２ａ，…がそれぞれ固定刃３の多数の切刃３ａ，３ａ，…と順次、交差して、これら多数の切刃３ａ，３ａ，…の間で上方に延びる芝草を次々と鋏み切ってゆく。
【００４８】
そうして回転する回転刃２と固定刃３とによって芝草を刈り取るときに、例えば小枝のように硬い物を刈り取ってしまい、比較的強い反力が作用することもあるが、この実施形態では、それらを支持する固定軸６６の上部がハウジング１に片持ち状態で支持されているのみならず、上下の中間部位が従動ギヤ部材６３の筒状軸部６３ｂを介してハウジング１に支持されており、固定軸６６の支持剛性は十分に確保されているから、問題はない。
【００４９】
そして、前記のように回転刃２及び固定刃３によって刈り取られた芝草の刈り屑は、保護部材４の羽根部４２によってすくい上げられ、図４に黒い矢印で示すように、周囲に飛び散ることなく上方に搬送されて、上方のカバー部材５により覆われた集草空間Ｓに至り、この空間部Ｓにおいて今度は保護部材４の各羽根部４２の立壁部４２ｄによって、同図に白抜きの矢印で示すように回転方向前側に搬送される。
【００５０】
そうして集草空間Ｓを保護部材４の回転方向に搬送される刈り屑は、遠心力によって徐々に外周側に片寄っていき、ハウジング１の左側においてカバー部材５の後方の延出部５２に押し出され、集草空間Ｓ内に滞留することなく、該延出部５２の後端の開口５２ａからからカバー部材５外へ連続的に排出される。こうして連続的に排出された刈り屑はベース部材７上の屑受け部Ｒに堆積し、それが或る程度以上、多くなれば、屑箱等に捨てられる。このように保護部材４は、刈り屑を排出するための搬送部材としても有効に機能している。
【００５１】
また、芝刈り機Ａの使用後に、例えば水分を含んだ刈り屑が集草空間Ｓに残留している場合は、カバー部材５の前部を上方に引き上げ、その係止爪部５４をハウジング本体１０のスリット１０ａに係止させて、上側位置に保持する。こうすれば、集草空間Ｓの前側外周が開放されるので、その内部に残留している刈り屑を除去しやすい。また、そうして上側位置に保持すれば、カバー部材５が回転刃２から上方に大きく離れることになるから、背の高い芝草の刈り取りも容易になる。
【００５２】
したがって、この実施形態に係る芝刈り機Ａによると、ハウジング１の本体部１０内に片持ち状態で支持した固定軸６６の下端側に固定刃３を設けるとともに、その上部に近接させて回転刃２を設ける場合に、この回転刃２を回転させる従動ギヤ部材６３の筒状軸部６３ｂを外周から滑り軸受６７によって支持し、これにより間接的に固定軸６６を支持することで、その支持剛性を十分に確保することができる。
【００５３】
よって、ハウジング本体１０内に取り付ける固定軸６６の上部を長くする必要がなく、これが電動モータ６０等の駆動系６と干渉することがないから、この干渉の問題を回避するために芝刈り機Ａの大型化を招く虞れもない。つまり、芝刈り機Ａの大型化を招くことなく、その本体にしっかりと固定軸６６を支持させることができる。
【００５４】
尚、前記実施形態の芝刈り機Ａでは、従動ギヤ部材６３の筒状軸部６３ｂを支持するための軸受部として、滑り軸受６７を用いているが、これに限らず、例えばニードル軸受などの転がり軸受を用いることもできる。
【００５５】
また、前記の実施形態では、回転刃２の上部を覆う保護部材４をスクリュウのような形状として、その羽根部４２，４２，…により芝草の刈り屑を上方に搬送するようにしているが、これに限るものではない。
【００５６】
すなわち、保護部材４は単に回転刃２の上部を覆って周囲の物との接触を防止するだけのものであってもよい。或いは、そのように回転刃２の上部を覆って保護するためのものでなく、芝草の刈り屑を搬送するためのもの（搬送部材）を設けてもよい。さらにまた、保護部材４や搬送部材は設けないことも可能である。
【００５７】
但し、前記実施形態のように保護部材４乃至搬送部材を設ければ、上述したように、その保護部材４や搬送部材を介して従動ギヤ部材６３の下端が回転刃２に連結されることになり、その分だけ固定軸６６が長くなって片持ち状態では支持剛性を確保し難くなるから、そうした場合には本願発明の作用効果が特に有効なものになると考えられる。
【００５８】
さらに、前記実施形態では本発明を手持ち式の芝刈り機Ａに適用しているが、これに限らず、本発明は手持ち式でないものに適用することも可能である。
【産業上の利用可能性】
【００５９】
以上、説明したように、本発明は、回転式の芝刈り機において、回転刃及び固定刃を支持する固定軸の支持剛性を確保しながら、芝刈り機の大型化を招くことがないので、特に手持ち式のものに好適である。
【図面の簡単な説明】
【００６０】
【図１】本発明の実施形態に係る手持ち式芝刈り機の側面図である。
【図２】同芝刈り機の特にカバー部材を省略した状態の内部構造を示す部分断面図である。
【図３】同芝刈り機の上面図である。
【図４】保護部材とカバー部材とを取り出して、両者間に形成される集草空間を示す説明図であり、(a)は上面図、(b)は側面図である。
【図５】カバー部材、保護部材、回転刃及び固定刃の分解斜視図である。
【符号の説明】
【００６１】
Ａ      芝刈り機
１      ハウジング（本体）
２      回転刃
３      固定刃
４      保護部材（搬送部材）
６      回転刃の駆動系
６０    電動モータ（駆動源）
６１    ピニオン
６２    中間ギヤ部材
６３    従動ギヤ部材（筒状部材）
６３ａ  大径ギヤ（従動ギヤ）
６３ｂ  筒状軸部
６６    固定軸
６７    滑り軸受（軸受部）
【図１】
2007295864.tif 000003
【図２】
2007295864.tif 000004
【図３】
2007295864.tif 000005
【図４】
2007295864.tif 000006
【図５】
2007295864.tif 000007